【手続補正書】
【提出日】平成17年1月4日(2005.1.4)
【手続補正１】
【補正対象書類名】明細書
【補正対象項目名】発明の名称
【補正方法】変更
【補正の内容】
【発明の名称】弾球遊技機
【手続補正２】
【補正対象書類名】明細書
【補正対象項目名】特許請求の範囲
【補正方法】変更
【補正の内容】
【特許請求の範囲】
【請求項１】
操作ハンドルの回転操作で発射速度を調節されて打ち出された遊技球が遊技領域を移動する弾球遊技機において、
操作ハンドルの回転角度を検出する検出手段と、
前記検出手段が検出した回転角度のアナログ値をデジタル値に変換する変換手段と、
前記変換手段が変換したデジタル値を数値表示する表示手段と、
を備えたことを特徴とする弾球遊技機。
【請求項２】
操作ハンドルの操作で発射速度を調節されて打ち出された遊技球が遊技領域を移動する弾球遊技機において、
操作ハンドルの回転角度を検出する検出手段と、
複数のランプを一列に配列した表示手段と、
前記検出手段が検出した回転角度に基づき前記複数のランプを点灯制御する制御手段とを備え、
前記制御手段は、前記検出手段が検出した回転角度に応じて前記ランプを順次点灯するよう制御することを特徴とする弾球遊技機。
【請求項３】
操作ハンドルの操作で発射速度を調節されて打ち出された遊技球が遊技領域を移動する弾球遊技機において、
操作ハンドルの回転角度を検出する検出手段と、
複数のランプを一列に配列した表示手段と、
前記検出手段が検出した回転角度に基づき前記複数のランプを点灯制御する制御手段とを備え、
前記制御手段は、前記検出手段が検出した回転角度に応じて点灯する前記ランプを順次変更するよう制御することを特徴とする弾球遊技機。
【請求項４】
操作ハンドルの操作で発射速度を調節されて打ち出された遊技球が遊技領域を移動する弾球遊技機において、
操作ハンドルの回転角度を検出する検出手段と、
複数の発光色の異なるランプを配列した表示手段と、
前記検出手段が検出した回転角度に基づき前記複数のランプを点灯制御する制御手段を備え、
前記制御手段は、前記検出手段が検出した回転角度に応じて点灯する前記ランプを変更するよう制御することを特徴とする弾球遊技機。
【請求項５】
操作ハンドルの操作で発射速度を調節されて打ち出された遊技球が遊技領域を移動する弾球遊技機において、
操作ハンドルの回転角度を検出する検出手段と、
遊技者の操作でオン・オフする操作スイッチと、
前記操作スイッチがオン操作された時点で前記検出手段が検出した回転角度を基準回転角度として記憶する記憶手段と、
前記基準回転角度に対して前記検出手段が検出した検出回転角度を比較する比較手段と、
前記比較手段が比較した結果を表示する表示手段と、
を備えたことを特徴とする弾球遊技機。
【請求項６】
前記比較手段は、前記基準回転角度に対して前記検出回転角度が少ないか、略等しいか、多いかの３状態を判別し、
前記表示手段は、前記比較手段が判別した３状態を識別表示することを特徴とする請求項５記載の弾球遊技機。
【請求項７】
前記表示手段は、３つの配列されたランプのいずれかを点灯して前記比較手段が判別した３状態を識別表示することを特徴とする請求項６記載の弾球遊技機。
【請求項８】
操作ハンドルの操作で発射速度を調節されて打ち出された遊技球が遊技領域を移動する弾球遊技機において、
操作ハンドルの回転角度を検出する検出手段と、
前記検出手段が検出した検出回転角度を表示する表示手段と、
遊技者の操作でオン・オフする操作スイッチと、
前記操作スイッチがオン操作された時点で前記検出手段が検出した回転角度を基準回転角度として記憶する記憶手段と、
前記基準回転角度に対して前記検出手段が検出した検出回転角度を比較する比較手段と、
前記比較手段が比較した結果が略等しいときを告知する告知手段と、
を備えたことを特徴とする弾球遊技機。
【請求項９】
前記告知手段は、ランプ表示手段であることを特徴とする請求項８記載の弾球遊技機。
【請求項１０】
前記告知手段は、音声発生手段であることを特徴とする請求項８記載の弾球遊技機。
【請求項１１】
操作ハンドルの操作で発射速度を調節されて打ち出された遊技球が遊技領域を移動する弾球遊技機において、
操作ハンドルの回転角度を検出する検出手段と、
遊技者の操作でオン・オフする操作スイッチと、
前記操作スイッチがオン操作された時点で前記検出手段が検出した回転角度を基準回転角度として記憶する記憶手段と、
前記基準回転角度に対して前記検出手段が検出した検出回転角度を比較する比較手段と、
前記比較手段が比較した結果を波長の異なる音で示す発音手段と、
を備えたことを特徴とする弾球遊技機。
【手続補正３】
【補正対象書類名】明細書
【補正対象項目名】０００１
【補正方法】変更
【補正の内容】
【０００１】
【発明の属する技術分野】
本発明は、遊技者の操作で発射された球が遊技盤上を多数の釘に当たりながら落下する弾球遊技機に関する。
【手続補正４】
【補正対象書類名】明細書
【補正対象項目名】０００２
【補正方法】変更
【補正の内容】
【０００２】
【従来の技術】
弾球遊技機は、操作ハンドルの回転操作で発射速度を調節されて遊技球が打ち出され、円弧状をした外レールに案内されて上昇した遊技球は遊技盤上を落下し、入賞口に入ると所定数の遊技球が払い出される。
【手続補正５】
【補正対象書類名】明細書
【補正対象項目名】０００６
【補正方法】変更
【補正の内容】
【０００６】
本発明は、かかる点に鑑みなされたもので、その目的とする処は、前回設定した操作ハンドルの回転角度に再度容易に調整することが可能な弾球遊技機を供する点にある。
【手続補正６】
【補正対象書類名】明細書
【補正対象項目名】０００７
【補正方法】変更
【補正の内容】
【０００７】
【課題を解決するための手段および作用効果】
上記目的を達成するために、本発明は、操作ハンドルの回転操作で発射速度を調節されて打ち出された遊技球が遊技領域を移動する弾球遊技機において、操作ハンドルの回転角度を検出する検出手段と、前記検出手段が検出した回転角度のアナログ値をデジタル値に変換する変換手段と、前記変換手段が変換したデジタル値を数値表示する表示手段とを備えた弾球遊技機とした。
【手続補正７】
【補正対象書類名】明細書
【補正対象項目名】０００９
【補正方法】削除
【補正の内容】
【手続補正８】
【補正対象書類名】明細書
【補正対象項目名】００１１
【補正方法】変更
【補正の内容】
【００１１】
請求項２記載の発明は、操作ハンドルの操作で発射速度を調節されて打ち出された遊技球が遊技領域を移動する弾球遊技機において、操作ハンドルの回転角度を検出する検出手段と、複数のランプを一列に配列した表示手段と、前記検出手段が検出した回転角度に基づき前記複数のランプを点灯制御する制御手段とを備え、前記制御手段は、前記検出手段が検出した回転角度に応じて前記ランプを順次点灯するよう制御する弾球遊技機である。
【手続補正９】
【補正対象書類名】明細書
【補正対象項目名】００１３
【補正方法】変更
【補正の内容】
【００１３】
請求項３記載の発明は、操作ハンドルの操作で発射速度を調節されて打ち出された遊技球が遊技領域を移動する弾球遊技機において、操作ハンドルの回転角度を検出する検出手段と、複数のランプを一列に配列した表示手段と、前記検出手段が検出した回転角度に基づき前記複数のランプを点灯制御する制御手段とを備え、前記制御手段が、前記検出手段が検出した回転角度に応じて点灯する前記ランプを順次変更するよう制御する弾球遊技機である。
【手続補正１０】
【補正対象書類名】明細書
【補正対象項目名】００１５
【補正方法】変更
【補正の内容】
【００１５】
請求項４記載の発明は、操作ハンドルの操作で発射速度を調節されて打ち出された遊技球が遊技領域を移動する弾球遊技機において、操作ハンドルの回転角度を検出する検出手段と、複数の発光色の異なるランプを配列した表示手段と、前記検出手段が検出した回転角度に基づき前記複数のランプを点灯制御する制御手段を備え、前記制御手段が、前記検出手段が検出した回転角度に応じて点灯する前記ランプを変更するよう制御する弾球遊技機である。
【手続補正１１】
【補正対象書類名】明細書
【補正対象項目名】００１７
【補正方法】削除
【補正の内容】
【手続補正１２】
【補正対象書類名】明細書
【補正対象項目名】００１８
【補正方法】削除
【補正の内容】
【手続補正１３】
【補正対象書類名】明細書
【補正対象項目名】００１９
【補正方法】変更
【補正の内容】
【００１９】
請求項５記載の発明は、操作ハンドルの操作で発射速度を調節されて打ち出された遊技球が遊技領域を移動する弾球遊技機において、操作ハンドルの回転角度を検出する検出手段と、遊技者の操作でオン・オフする操作スイッチと、前記操作スイッチがオン操作された時点で前記検出手段が検出した回転角度を基準回転角度として記憶する記憶手段と、前記基準回転角度に対して前記検出手段が検出した検出回転角度を比較する比較手段と、前記比較手段が比較した結果を表示する表示手段とを備えた弾球遊技機である。
【手続補正１４】
【補正対象書類名】明細書
【補正対象項目名】００２１
【補正方法】変更
【補正の内容】
【００２１】
請求項６記載の発明は、請求項５記載の弾球遊技機において、前記比較手段が、前記基準回転角度に対して前記検出回転角度が少ないか、略等しいか、多いかの３状態を判別し、前記表示手段は、前記比較手段が判別した３状態を識別表示することを特徴とする。
【手続補正１５】
【補正対象書類名】明細書
【補正対象項目名】００２３
【補正方法】変更
【補正の内容】
【００２３】
請求項７記載の発明は、請求項６記載の弾球遊技機において、前記表示手段が、３つの配列されたランプのいずれかを点灯して前記比較手段が判別した３状態を識別表示することを特徴とする。
【手続補正１６】
【補正対象書類名】明細書
【補正対象項目名】００２５
【補正方法】削除
【補正の内容】
【手続補正１７】
【補正対象書類名】明細書
【補正対象項目名】００２６
【補正方法】削除
【補正の内容】
【手続補正１８】
【補正対象書類名】明細書
【補正対象項目名】００２７
【補正方法】削除
【補正の内容】
【手続補正１９】
【補正対象書類名】明細書
【補正対象項目名】００２８
【補正方法】変更
【補正の内容】
【００２８】
請求項８記載の発明は、操作ハンドルの操作で発射速度を調節されて打ち出された遊技球が遊技領域を移動する弾球遊技機において、操作ハンドルの回転角度を検出する検出手段と、前記検出手段が検出した検出回転角度を表示する表示手段と、遊技者の操作でオン・オフする操作スイッチと、前記操作スイッチがオン操作された時点で前記検出手段が検出した回転角度を基準回転角度として記憶する記憶手段と、前記基準回転角度に対して前記検出手段が検出した検出回転角度を比較する比較手段と、前記比較手段が比較した結果が略等しいときを告知する告知手段とを備えたことを特徴とする弾球遊技機である。
【手続補正２０】
【補正対象書類名】明細書
【補正対象項目名】００３０
【補正方法】変更
【補正の内容】
【００３０】
請求項９記載の発明は、請求項８記載の弾球遊技機において、前記告知手段が、ランプ表示手段であることを特徴とする。
ランプの点灯により検出回転角度が基準回転角度に略等しいことを知ることができ、操作ハンドルを元の最適回転角度に設定することが容易にできる。
【手続補正２１】
【補正対象書類名】明細書
【補正対象項目名】００３１
【補正方法】変更
【補正の内容】
【００３１】
請求項１０記載の発明は、請求項８記載の弾球遊技機において、前記告知手段が、音声発生手段であることを特徴とする。
音声の発生により検出回転角度が基準回転角度に略等しいことを知ることができ、操作ハンドルを元の最適回転角度に設定することが容易にできる。
【手続補正２２】
【補正対象書類名】明細書
【補正対象項目名】００３２
【補正方法】変更
【補正の内容】
【００３２】
請求項１１記載の発明は、操作ハンドルの操作で発射速度を調節されて打ち出された遊技球が遊技領域を移動する弾球遊技機において、操作ハンドルの回転角度を検出する検出手段と、遊技者の操作でオン・オフする操作スイッチと、前記操作スイッチがオン操作された時点で前記検出手段が検出した回転角度を基準回転角度として記憶する記憶手段と、前記基準回転角度に対して前記検出手段が検出した検出回転角度を比較する比較手段と、前記比較手段が比較した結果を波長の異なる音で示す発音手段とを備えた弾球遊技機である。
【手続補正２３】
【補正対象書類名】明細書
【補正対象項目名】００３４
【補正方法】削除
【補正の内容】
【手続補正２４】
【補正対象書類名】明細書
【補正対象項目名】００３５
【補正方法】削除
【補正の内容】
【手続補正２５】
【補正対象書類名】明細書
【補正対象項目名】００３６
【補正方法】変更
【補正の内容】
【００３６】
【発明の実施の形態】
以下本発明に係る一実施の形態について図１ないし図４に図示し説明する。
弾球遊技機である本パチンコ遊技機１の全体正面図を図１に示す。